(57)【特許請求の範囲】
【請求項１】
受信側においてＭ個（Ｍ＜Ｎ）の情報信号が同期して受信可能なように送信側において送信タイミングを制御すると共に、（Ｎ−Ｍ）個の情報信号に対しては送信信号同期を取り、並列伝送としての送信タイミングを揃える手段と、
それら並列信号をそれぞれ異なる波長キャリアの光信号に変換して光合波する手段と
を備えた送信器と、
この送信器の出力光信号を伝搬する利用波長領域で有限な分散値を有する光ファイバ伝送路もしくは分散を制御可能な光ファイバ伝送路と、
この光ファイバ伝送路を伝搬した結果としてＭ個の送信信号については時間領域で同期受信されると共に、（Ｎ−Ｍ）個の送信信号については分散効果により各波長成分が時間領域で分離され、並列信号列がシリアル信号列に変換される位置で光信号を受信する手段と、
この受信する手段が受信した光信号を情報信号へと復号する手段と
を備えた受信器と
を含む光伝送システム。
【請求項２】
前記Ｍ個の送信信号は、組み合わされた信号波長によって送信され、前記組み合わせ電力和が光パワーとして信号識別可能な電力レベルを満足するように送信側において信号変換され、受信側においては、一部の受信器が電力和としての情報識別を行うと共に、信号を波長分離した後に時間領域に変換することで光信号を受信して情報復号する請求項１記載の光伝送システム。
【請求項３】
情報信号を光信号に変換し光合波して光ファイバ伝送路に入射させる前記光合波する手段に代えて光源が２次元に配列され、かつ各光源要素が互いに異なる波長で発光する手段と、
その出射光を光ファイバに結合させる手段と
を備えた請求項１または２に記載の光伝送システム。
【請求項４】
送信器が、受信側においてＭ個（Ｍ＜Ｎ）の情報信号が同期して受信可能なように送信側において送信タイミングを制御すると共に、（Ｎ−Ｍ）個の情報信号に対しては送信信号同期を取り、並列伝送としての送信タイミングを揃え、それら並列信号をそれぞれ異なる波長キャリアの光信号に変換し、光合波して送信し、
利用波長領域で有限な分散値を有する光ファイバ伝送路もしくは分散を制御可能な光ファイバ伝送路が、前記送信器の出力光信号を伝搬し、
受信器が、この光ファイバ伝送路を伝搬した結果としてＭ個の送信信号については時間領域で同期受信されると共に、（Ｎ−Ｍ）個の送信信号については分散効果により各波長成分が時間領域で分離され、並列信号列がシリアル信号列に変換される位置で光信号を受信し、この受信した光信号を情報信号へと復号する
光伝送方法。
【請求項５】
前記Ｍ個の送信信号は、組み合わされた信号波長によって送信され、前記組み合わせの電力和が光パワーとして信号識別可能な電力レベルを満足するように送信側において信号変換され、受信側においては、一部の受信器が電力和としての情報識別を行うと共に、信号を波長分離した後に時間領域に変換することで光信号を受信して情報復号する請求項４記載の光伝送方法。
【請求項６】
送信器が、情報信号を光信号に変換し光合波して光ファイバ伝送路に入射させる工程に代えて光源要素が２次元に配列された光源の各光源要素を互いに異なる波長で発光させ、その出射光を光ファイバに結合させる請求項４または５に記載の光伝送方法。
【発明の詳細な説明】
【技術分野】
【０００１】
本発明は、光多重アクセス伝送に関する。特に、大容量化および受信器構成の簡略化に関する。
【背景技術】
【０００２】
従来、光伝送方式の通信容量を拡大するための多重化には、主として時間領域の多重化（ＴＤＭ：Time Division Multiplexing）、波長領域の多重化（ＷＤＭ：Wavelength Division Multiplexing）が広く用いられている。
【０００３】
通常のＷＤＭの場合には、送信側では互いに異なる複数の波長の光源を用意し、複数の情報信号を各波長の光信号で変換し、それらをＡＷＧ(Arrayed Waveguide)等により合波させ、光伝送路を伝搬させる。
【０００４】
受信側においてはその逆手順に従い、ＡＷＧで複数の光波長に光信号を分離した後に光受信し、各情報信号を復調させることで極めて広帯域性に優れた多重伝送を実現している。
【０００５】
一方、ＴＤＭ方式は送信側において複数信号をより高速な信号に置換し、時間軸上で再配列して多重化し、光ファイバ中を伝搬させ、受信側においては、その時間多重された信号を複数の低速な信号に分離することで比較的簡単な経済性に優れた多重伝送を実現している。
【０００６】
図９は、従来の一般的なＷＤＭ伝送方式の機能構成を説明するための図である。情報信号発生器６からの信号は、符号器５で符号化され、Ｎ台の送信器４（Ｔｘ１〜ＴｘＮ）へ入る。Ｎ台の送信器４（Ｔｘ１〜ＴｘＮ）では互いに異なる波長λ１〜λＮの光信号に変換され、光導波路をへて光合分波器３（ＡＷＧなど）で各波長は多重合波された光ファイバ伝送路１に入射する。
【０００７】
受信器側では、逆の手順に従い、光合分波器２で各波長成分に分離され、それぞれの波長λ１〜λＮの光信号は導波路を経て受信器７（Ｒｘ１〜ＲｘＮ）に入射する。
【０００８】
光合分波器２および３は必ずしもＡＷＧのような波長の合分離作用を持たず、単にパワースプリッタとして作用するものであっても構わない。ただし、その場合には、受信器７（Ｒｘ１〜ＲｘＮ）の手前にλｊ（ｊ＝１〜Ｎのいずれか）だけを透過する波長フィルタの挿入が必要で、かつ分岐損失が発生する。
【０００９】
受信器７（Ｒｘ１〜ＲｘＮ）の出力は復号器８で復号化され情報信号が抽出される。
【００１０】
【非特許文献１】Ｒｏｂｅｒｔ  Ｄ．Ｆｅｌｄｍａｎ，Ｓｅｎｉｏｒ  Ｍｅｍｂｅｒ，ＩＥＥＥ，Ｅ．Ｅ．Ｈａｒｓｔｅａｄ，Ｓ．Ｊｉａｎｇ，Ｔｈｏｍａｓ  Ｈ．Ｗｏｏｄ，Ｓｅｎｉｏｒ  Ｍｅｍｂｅｒ，ＩＥＥＥ，Ｆｅｌｌｏｗ．ＯＳＡ．ａｎｄ  Ｍａｒｔｉｎ  Ｚｉｒｎｇｉｂｌ、“Ａｎ  Ｅｖａｌｕａｔｉｏｎ  ｏｆ  Ａｒｃｈｉｔｅｃｔｕｒｅｓ  ｉｎｃｏｒｐｏｒａｔｉｎｇ  Ｗａｖｅｌｅｎｇｔｈ  Ｄｉｖｉｓｉｏｎ  Ｍｕｌｔｉｐｌｅｘｉｎｇ  ｆｏｒ  Ｂｒｏａｄ−Ｂａｎｄ  Ｆｉｂｅｒ  Ａｃｃｅｓｓ”、ＪＯＵＲＮＡＬ  ＯＦ  ＬＩＧＨＴＷＡＶＥ  ＴＥＣＨＮＯＬＯＧＹ．ＶＯＬ．１６，ＮＯ．９，ＳＥＰＴＥＭＢＥＲ  １９９８
【発明の開示】
【発明が解決しようとする課題】
【００１１】
上述したようなＷＤＭ方式では、容量拡大に比例し、光波長の合分離デバイスや複数の光源または光検出器などが送受信部の両方で不可欠となり、高価な光部品の適用により経済性に問題がある。
【００１２】
特に、ＰＯＮ(Passive Optical Network)のようなＰ−ＭＰ(Point
to Multipoint)型のネットワークの場合には、ユーザ側装置には低廉さが求められるため、適用が困難であった。
【００１３】
本発明は、このような課題を解決するために行われたものであって、安価かつ容易に容量拡大を図ることができる光伝送システムおよび方法を提供することを目的とする。
【課題を解決するための手段】
【００１４】
本発明では、送信側にＷＤＭ方式を適用することで信号の伝送速度を比較的低速に抑えることができるため、容量のスケーラビリティ拡大が容易になる。光信号は光ファイバの波長分散特性に基づき、伝搬に伴い各波長成分の光信号は時間領域で互いに分離することになる。
【００１５】
受信側においては、これらの光信号がＷＤＭにおけるパラレル信号からＴＤＭのシリアル信号にちょうど変換される位置に受信器を設置することで光信号を単純なＴＤＭとして受信し復調することができる。
【００１６】
これにより、複数の波長合波または分離用等の波長デバイスが不要で構成が簡易な受信器構成が可能となり、ＰＯＮのようなＰ−ＭＰ型ネットワークのユーザ装置を簡易に構成し易くなる。
【００１７】
もちろん、通常のように、波長多重信号として波長分離した上で受信し、復調することも当然可能であり、ＷＤＭおよびＴＤＭ方式の受信装置を１つのＰ−ＭＰに混在させるような柔軟性も実現することができる。
【００１８】
このような方式の多重伝送方式の提案は従来見られない。
【００１９】
さらに、光信号は光ファイバの波長分散特性に基づき、伝搬に伴い各波長成分の光信号は時間領域で互いに分離する特性の逆特性を送信側に導入することで、送信側で異なる波長に分離した同変調信号を受信側で同期一括受信することで、受信信号電力の増大を図ることができ、結果として、受信器の感度向上により光伝送の長延化および広域化を図ることができる。
【００２０】
また、上記長延化および広域化においては複数波長を利用することから、波長利用効率の低下が課題となるが、波長のコンビネーションを情報として利用することで、光受信パワーとして一括受信した場合には、受信電力の向上が図られ、波長フィルタ等で波長分離し各波長情報を識別することで、情報量増加および波長利用効率の向上を図ることが可能となる。
【００２１】
すなわち、本発明は、Ｎ個の情報信号の同期を取り、並列伝送としての送信タイミングを揃える手段と、それら並列信号をそれぞれ異なる波長キャリアの光信号に変換して光合波する手段とを備えた送信器と、この送信器の出力光信号を伝搬する利用波長領域で有限な分散値を有する光ファイバ伝送路もしくは分散を制御可能な光ファイバ伝送路と、この光ファイバ伝送路を伝搬した結果として分散効果により各波長成分が時間領域で分離され、並列信号列がシリアル信号列に変換される位置で光信号を受信する手段と、この受信する手段が受信した光信号を情報信号へと復号する手段とを備えた受信器とを含む光伝送システムである。
【００２２】
あるいは、本発明は、受信側においてＭ個（Ｍ＜Ｎ）の情報信号が同期して受信可能なように送信側において送信タイミングを制御すると共に、（Ｎ−Ｍ）個の情報信号に対しては送信信号同期を取り、並列伝送としての送信タイミングを揃える手段と、それら並列信号をそれぞれ異なる波長キャリアの光信号に変換して光合波する手段とを備えた送信器と、この送信器の出力光信号を伝搬する利用波長領域で有限な分散値を有する光ファイバ伝送路もしくは分散を制御可能な光ファイバ伝送路と、この光ファイバ伝送路を伝搬した結果としてＭ個の送信信号については時間領域で同期受信されると共に、（Ｎ−Ｍ）個の送信信号については分散効果により各波長成分が時間領域で分離され、並列信号列がシリアル信号列に変換される位置で光信号を受信する手段と、この受信する手段が受信した光信号を情報信号へと復号する手段とを備えた受信器とを含む光伝送システムである。
【００２３】
この場合には、例えば、前記Ｍ個の送信信号は、波長のコンビネーションとしての情報を持つと共に、その電力和が光パワーとして信号識別可能な電力レベルを満足するように送信側において信号変換され、受信側においては、一部の受信器が電力和としての情報識別を行うと共に、信号を波長分離した後に時間領域に変換することで光信号を受信して情報復号する。
【００２４】
また、情報信号を光信号に変換して合波して光ファイバ伝送路に入射させる前記光合波する手段に代えて光源が２次元に配列され、かつ各光源要素が互いに異なる波長で発光する手段と、その出射光を光ファイバに結合させる手段とを備えることもできる。
【００２５】
また、本発明を光伝送方法としての観点から観ることもできる。すなわち、本発明は、送信器が、Ｎ個の情報信号の同期を取り、並列伝送としての送信タイミングを揃え、それら並列信号をそれぞれ異なる波長キャリアの光信号に変換し、光合波して送信し、利用波長領域で有限な分散値を有する光ファイバ伝送路もしくは分散を制御可能な光ファイバ伝送路が、前記送信器の出力光信号を伝搬し、受信器が、この光ファイバ伝送路を伝搬した結果として分散効果により各波長成分が時間領域で分離され、並列信号列がシリアル信号列に変換される位置で光信号を受信し、この受信した光信号を情報信号へと復号する光伝送方法である。
【００２６】
あるいは、本発明は、送信器が、受信側においてＭ個（Ｍ＜Ｎ）の情報信号が同期して受信可能なように送信側において送信タイミングを制御すると共に、（Ｎ−Ｍ）個の情報信号に対しては送信信号同期を取り、並列伝送としての送信タイミングを揃え、それら並列信号をそれぞれ異なる波長キャリアの光信号に変換し、光合波して送信し、利用波長領域で有限な分散値を有する光ファイバ伝送路もしくは分散を制御可能な光ファイバ伝送路が、前記送信器の出力光信号を伝搬し、受信器が、この光ファイバ伝送路を伝搬した結果としてＭ個の送信信号については時間領域で同期受信されると共に、（Ｎ−Ｍ）個の送信信号については分散効果により各波長成分が時間領域で分離され、並列信号列がシリアル信号列に変換される位置で光信号を受信し、この受信した光信号を情報信号へと復号する光伝送方法である。
【００２７】
この場合には、例えば、前記Ｍ個の送信信号は、波長のコンビネーションとしての情報を持つと共に、その電力和が光パワーとして信号識別可能な電力レベルを満足するように送信側において信号変換され、受信側においては、一部の受信器が電力和としての情報識別を行うと共に、信号を波長分離した後に時間領域に変換することで光信号を受信して情報復号する。
【００２８】
また、送信器が、情報信号を光信号に変換し光合波して光ファイバ伝送路に入射させる工程に代えて光源要素が２次元に配列された光源の各光源要素を互いに異なる波長で発光させ、その出射光を光ファイバに結合させることもできる。
【発明の効果】
【００２９】
本発明によれば、安価かつ容易に大容量化が可能となる。特に、ＰＯＮのようなＰ−ＭＰ型ネットワークのユーザ装置を簡易に構成することができる。
【発明を実施するための最良の形態】
【００３０】
本発明実施例を図１から図８を参照して説明する。図１は本発明実施例の機能構成を説明するための図である。情報信号発生器６からの信号は符号器５で符号化される際、ビットレートが多重数のＮ倍だけ高められる（図２で詳述する）。符号器５の出力は送信器４（Ｔｘ１〜ＴｘＮ）で電気信号から光信号に変換される。その際、タイミング調整等を行う制御回路９により各送信器４（Ｔｘ１〜ＴｘＮ）における光信号の同期が取られ、例えば、同一タイミングに揃えた上で光合分波器３により各波長は多重合波されて光ファイバ伝送路１に入射される。光ファイバ伝送路１の出射光は受信器７（Ｒｘ）に入射し光信号から電信号に変換され復号器８で復号化されて情報信号が復調される。
【００３１】
図２は送信器Ｔｘおよび受信器Ｒｘにおける光信号のパターンを説明するための図であり、図２（ａ）は並列数がＮ台の送信器Ｔｘ１〜ＴｘＮにおける伝送フレームと光パルス、図２（ｂ）は受信器Ｒｘの光パルスの例である。図２（ａ）において、符号化された信号の周期はＴｆであり、多重数Ｎだけのスロット（時間Ｔｓ）細分割される。
【００３２】
図１に示す符号器５の作用の中で情報信号は周期Ｔｆ、パルス幅Ｔｓの信号変調方式に依存する。ここでは、例として、ＮＲＺ符号に変換された場合を示す。図２（ａ）における各送信器Ｔｘ１〜ＴｘＮの出力信号Ｓ１〜ＳＮは、制御回路９の作用により、例えば、各λ１の信号は全てＳ１スロットに並ぶように同期が取られて調整される。
【００３３】
送信器Ｔｘ１〜ＴｘＮの出力を全て合波したものが光ファイバ伝送路１に入射されるが、複数光源を用いることで単一光源の場合に比べ光源の負荷を下げる（寿命が延びる）ことも可能となる。
【００３４】
光ファイバ伝送路１の波長分散効果により、波長多重信号は時間分離され、隣接波長間の光信号遅延時間がＴｓにほぼ等しい状況を作り出すことで（図３、図４で詳述する）、受信器Ｒｘの受信信号は図２（ｂ）に示すようにλ１〜λＮ成分が各スロットに分散するため、周期Ｔｓの連続ＴＤＭ信号として受信することが可能となる。
【００３５】
すなわち、光ファイバ伝搬に伴いパラレルの光パルス列がシリアル列に変換されることになる。Ｒｘ受信後の復号化はＴｆ周期での処理をすることで可能である。
【００３６】
図３は各送信器Ｔｘからの出力光のスペクトラムの模式図である。Ｎ台の送信器Ｔｘ１〜ＴｘＮは中心波長が等間隔のΔλで並び、１次変調と符号化により有限なスペクトル幅δλを有する。ここで、Δλはδλより十分大きく設定される。
【００３７】
図４は各λ１〜λＮの信号が光ファイバ伝送路１を伝搬することで生じる伝搬時間差を示している。
【００３８】
図中の点線は光ファイバ伝送路１の遅延カーブの一部であり、正常分散の比較的狭い領域（数ｎｍ程度）では波長分散値はほぼ一定と見なせ、従って遅延量は波長差Δλに比例で近似できる。すなわち、Δτ∝Δλである。
【００３９】
ここでは、分散の効果を得るため伝送路である光ファイバを利用しているが、分散を与えるものであれば適用可能であり、必ずしも光ファイバに限定されるものではない。
【００４０】
上記より、Δτをスロット幅Ｔｓと等しくすることでパラレル／シリアル変換が可能になるため、逆に光ファイバの波長分散値Ｄと長さＬとが固定されれば遅延量Δτは、Δτ／Δλ＝ＤＬで与えられ、適切なΔλとなるように光源を選択することで条件を満足させることができる。
【００４１】
また、δλをΔλの１０％以下程度に設定することで隣接チャネル間の干渉も抑制させることが容易にできる。現実的な数値例を以下に示す。
【００４２】
加入者系の光ファイバ長１０ｋｍ、波長分散値１０ｐｓ／ｋｍ／ｎｍ、波長数１０波（１．５μｍ帯）、送信器（Ｔｘ）側速度１Ｇｂｐｓ、受信器（Ｒｘ）側速度１０Ｇｂｐｓを実現する場合には、Δτ（＝Ｔｓ）は０．１ｎｓであり、Δλは約１ｎｍとなる。１次変調速度が１Ｇｂｐｓとするとδλは、約０．０１ｎｍであり、δλ／Δλ<<１が十分成立する。
【００４３】
図５は図１と同様な構成において光送信機としてＶＣＳＥＬのような２次元配列形状のデバイス（ＶＩＣＳＥＬと記す）を用いた場合の構成例である。情報信号発生器６からの信号は、符号器５で符号化された後、ＶＩＣＳＥＬ用のドライバ回路１４に入り、その各出力がＶＩＣＳＥＬ１５に送られる。ここでＶＩＣＳＥＬ１５内の各光源要素は、図９の従来例および図１の実施例と同じく、予め設定された波長間隔で発光する光源要素の配列をなしており、各光源要素からの光信号は光結合部１６を通じて光ファイバ伝送路１へ結合される。
【００４４】
光結合部１６は、例えば、対物レンズのようなもので集光させて結合する方法や、ＶＩＣＳＥＬ１５のサイズがコア径と同等な場合は直接光ファイバ断面にＶＩＣＳＥＬ断面を突き当てる方法によっても実現できる。光ファイバ伝送路１を伝搬した光信号に対しては図１と全く同様な処理により情報信号を復調することができる。
【００４５】
図６は本発明の適用形態の例として加入者系でよく用いられるＰＯＮの場合の例を示している。送信側にはＷＤＭによる送信器側機能（図１で説明）と従来技術のＴＤＭ送信器側機能１９とが並列している。図１で説明したＷＤＭによる送信器からの出力は光合分波器３および光パワー合波器１７を経由して光ファイバ伝送路１を伝搬し、パワースプリッタ１８で分岐され、受信器７へ入射する。
【００４６】
ここで図２（ｂ）から分かるように、周期Ｔｓのビット列はＴＤＭ受信器側機能２０で受信される際、光信号の波長情報は一切用いられておらず、従って本発明の受信器７側の装置は必ずしもＷＤＭで構成される送信器４と対をなす必要は無く、単純な高速のＴＤＭ送信機（ビットレートが同一なもの）と対を成しても通信が成立することが容易に分かる。つまり、図６のＴＤＭ送信器側機能１９が１／Ｔｓのビットレートで送信する装置であれば、受信器７はＴＤＭ送信器側機能１９に対して共通に用いることも原理的には可能となる。この場合には従来技術のＴＤＭ受信器側機能２０を省略することができる。本発明はこのような汎用性を有する点も特徴である。
【００４７】
図７は本発明の適用形態の例として、ＷＤＭを利用した光受信電力増大を実現する例を示している。送信器４は前項までに示した波長／時間変換型伝送方式を実現する送信器Ｔｘ１〜ＴｘＮであり、受信器７はそれぞれの送信器Ｔｘ１〜ＴｘＮに対応した受信器Ｒｘ１〜ＲｘＮである。
【００４８】
ここで、送信器４と受信器７とは、上記方式とは異なる動作を行う。送信器４は、受信器７において、各波長の受信タイミングが同着となるように出力する。つまり、送信器４と受信器７との間の波長毎の遅延時間を計測し、その逆特性（送信時間を遅延させる）を利用し、受信器７側に信号を送信する。そのとき、送信信号１０９〜１１１は、各波長で同じになるように制御される。受信器７側では、各波長で同期した受信信号１１２〜１１４を受信することができるため、受信電力の向上が図れ、その結果として、受信感度向上が実現される。効果として、光伝送路の長延化、光網の広域化が実現できる。
【００４９】
図８は本発明の適用形態の例として、ＷＤＭを利用した光受信電力増大を実現する例である。図７において波長利用効率向上を図る方式例を示すものである。図７で示した送信信号１０９〜１１１の波長による複写を利用した受信電力向上は、波長情報を利用していないことから波長利用効率という点で課題がある。図７の提案方式をさらに向上させる方式を提案するものである。この方式においては、波長特性を無視した光電力のみを一括受信する受信器７と、波長と識別し、それを時間軸に変換する変換回路１３を有する受信器１２２とが存在する。
【００５０】
例えば、図８において、送信信号１１５〜１２０は、波長を無視し光電力のみを受信信号として識別する受信器７用に０、１信号が選択される。つまり、例として、選択回路１２が情報信号波長６種類（１１５、１１６、１１７、１１８、１１９、１２０）のうち、１レベルの場合４個選択、０レベルの場合２選択した場合を考える（１レベルとして５個選択、０レベルとして１個選択しても問題ない）。ここで、選択とは、その波長で発光している状態を定義する。波長特性を無視し、光を電力として受信する受信器７の場合には、１レベルとしてパワーレベル４、０レベルとしてパワーレベル２として受信することになり、１レベルとして１、０レベルとして０を受信する場合と比較して３ｄＢの受信パワー向上が図れる。
【００５１】
一方、波長特性を認識し、波長を時間軸に変換する変換回路１３を有する受信器１２２においては、送信器４で送信した波長のコンビネーションを受信信号１２３、１２４として認識する。つまり、本例の場合には、信号波長（１１５、１１６、１１７、１１８、１１９、１２０）の組合せは、６個の中から４個を選ぶ組合せであるので、１５通りの組合せが存在する。これは、１レベルでも０レベルでも同様である。（また、他の例として上記括弧内で示した例の場合には、６個の中から５個選択する組合せなので、６通りの組合せが存在する。）１５通りの組合せの場合には、波長特性を考慮しない場合に比較し、ｌｏｇ2１５の利用効率向上を図ることができる。
【００５２】
なお、図８における送信器ＴＸNは、図８で主として示した受信パワー増による感度向上および波長利用効率向上に向けた波長データの組合せを利用した方法が、
（１）図１記載の波長分散を利用した波長軸から時間軸に変換受信する方法
（２）図６記載の従来のＴＤＭによる通信方式
とも共存できることを一般的に示したものである。
【００５３】
したがって、送信器ＴＸNは、図１記載の情報信号発生器６、符号器５、送信器４、光合分波器３、制御回路９を含む構成でもよいし、あるいは、図６記載のＴＤＭ送信器側機能１９でもよい。さらに、送信器ＴＸNは、図８記載の選択回路１２、送信器４、光合分波器３および１０を含む構成でもよい。この場合には、図８左側の符号を付していない受信器ＲNは、送信器ＴＸNに対向する受信器となる。
【産業上の利用可能性】
【００５４】
本発明を適用することにより、従来のＴＤＭとＷＤＭとを組み合わせることで大容量化が比較的容易となる。特に、ＰＯＮのようなユーザ側装置の経済化が重要な要求条件となる場合には、単純なＴＤＭ受信器でＷＤＭ信号を無駄なく受信できることは極めて有効であり、ＷＤＭに限らず従来のＴＤＭ方式にもそのまま受信器として適用できるなど、実ネットワークへの適用に柔軟性がある。
【００５５】
さらに、ＷＤＭを利用し、時間領域で同期一括受信を行うことで、受信電力の増大を図ることができる。これにより、光伝送路の長延化、広域化を図ることが可能であると共に、波長のコンビネーションと光電力という軸を考慮することで、波長による信号情報量の向上を図ることができる。
【図面の簡単な説明】
【００５６】
【図１】本発明実施例の機能構成を説明するための図。
【図２】送信器Ｔｘおよび受信器Ｒｘにおける光信号のパターンを説明するための図。
【図３】各送信器Ｔｘからの出力光のスペクトラムの模式図。
【図４】各λ１〜λＮの信号が光ファイバ伝送路を伝搬することで生じる伝搬時間差を示す図。
【図５】図１と同様な構成において光送信機としてＶＣＳＥＬのような２次元配列形状のデバイス（ＶＩＣＳＥＬと記す）を用いた場合の構成例を示す図。
【図６】本発明の適用形態の例として加入者系でよく用いられるＰＯＮの場合の例を示す図。
【図７】本発明の適用形態の例として、ＷＤＭを利用した光受信電力増大を実現する例を示す図。
【図８】本発明の適用形態の例として、ＷＤＭを利用した光受信電力増大を実現する例を示す図。
【図９】従来の一般的なＷＤＭ伝送方式の機能構成を説明するための図。
【符号の説明】
【００５７】
１  光ファイバ伝送路
２、３、１０、１１  光合分波器
４  送信器（Ｔｘ１〜ＴｘＮ）
５  符号器
６  情報信号発生器
７、１２２  受信器（Ｒｘ１〜ＲｘＮ）
８  復号器
９  制御回路
１２  選択回路
１３  変換回路
１４  ドライバ回路
１５  ＶＩＣＳＥＬ
１６  光結合部
１７  光パワー合波器
１８  パワースプリッタ
１９  ＴＤＭ送信器側機能
２０  ＴＤＭ受信器側機能
１０１、１０３〜１０５、１０９〜１１１、１１５〜１２０  送信信号
１０２、１０６〜１０８、１１２〜１１４、１２１、１２３、１２４  受信信号
【図１】
0004810514.tif 000002
【図２】
0004810514.tif 000003
【図３】
0004810514.tif 000004
【図４】
0004810514.tif 000005
【図５】
0004810514.tif 000006
【図６】
0004810514.tif 000007
【図７】
0004810514.tif 000008
【図８】
0004810514.tif 000009
【図９】
0004810514.tif 000010